(57)【特許請求の範囲】
【請求項１】
丼物の具材を収容する略方形で浅皿状であり、その内底面が一方の開口縁部に向けて傾斜した内底面に形成され、
前記傾斜した内底面に超高分子量ポリエチレン樹脂加工が施されたアルミシートを貼付していることを特徴とする具材包装容器。
【請求項２】
請求項１記載の具材包装容器において、前記傾斜した内底面全体に傾斜方向に向けた多数の突状又は溝が形成されていることを特徴とする具材包装容器。
【請求項３】
請求項１又は２に記載の具材包装容器と、具材包装容器に被せる蓋体と、深皿状のご飯包装容器とから成り、
前記具材包装容器の開口縁部がご飯包装容器の開口縁部に着脱可能に係止されていることを特徴とする丼物包装容器。
【請求項４】
丼物の具材を収容する略方形で浅皿状であり、その内底面が一方の開口縁部に向けて傾斜した内底面に形成され、該傾斜した内底面に滑り摩擦抵抗低減加工が施された具材包装容器と、具材包装容器に被せる蓋体と、深皿状のご飯包装容器とから成り、
前記具材包装容器の開口縁部がご飯包装容器の開口縁部に着脱可能に係止された丼物包装容器における前記ご飯包装容器にご飯が収容され、前記具材包装容器に刺身、鰻、天ぷら、牛等の丼物の具材が収容され、前記具材包装容器の傾斜した内底面と収容する具材との間に、しその葉の茎側を傾斜した内底面の傾斜上部側に向けて表向きに敷き詰めてなることを特徴とする包装容器に収容されていることを特徴とする包装容器に収容された丼物。
【請求項５】
丼物の具材を収容する略方形で浅皿状であり、その内底面が一方の開口縁部に向けて傾斜した内底面に形成され、該傾斜した内底面に滑り摩擦抵抗低減加工が施された具材包装容器と、具材包装容器に被せる蓋体と、深皿状のご飯包装容器とから成り、
前記具材包装容器の開口縁部がご飯包装容器の開口縁部に着脱可能に係止された丼物包装容器における前記ご飯包装容器にご飯が収容され、前記具材包装容器に刺身、鰻、天ぷら、牛等の丼物の具材が収容され、
前記ご飯の上に、ご飯のタレをゲル化した状態で載せ、その上をシートで覆っていることを特徴とする包装容器に収容された丼物。
【発明の詳細な説明】
【技術分野】
【０００１】
本発明は、海鮮丼等のようにご飯と具材を分離状態で収容する食品包装容器及び食品包装容器にご飯と具材を分離状態で収容した具材及び丼物に関する。
【背景技術】
【０００２】
従来、このような丼物包装容器として、深皿状の主材包装容器と、ご飯包装容器に被せる浅皿状の具材包装容器と、具材包装容器に被せる蓋体とを備えて構成されたものが知られている。
そして、ご飯包装容器にご飯を収容し、具材包装容器に刺身、鰻、天ぷら、牛等の丼物の具材を収容し、店舗にて冷蔵又は冷凍状態で販売されている（特許文献１、２参照。）
【０００３】
この食品収容容器に収容された丼物は、具材が刺身の海鮮丼の場合、ご飯包装容器から刺身が収容された具材包装容器を取り外した状態で、ご飯が収容されたご飯収容容器をレンジ等で暖めた後、具材包装容器の蓋体を開けて中に収容された刺身を温めたご飯の上に移し、刺身の上に醤油やわさび等の調味料を加えて食することになる。
なお、具材が生ものでない鰻丼、天丼、牛丼等の場合は、そのままレンジで温めることができる。
【先行技術文献】
【特許文献】
【０００４】
【特許文献１】特開２０１２−４６２１０号公報
【特許文献２】特開平９−５１７６７号公報
【発明の概要】
【発明が解決しようとする課題】
【０００５】
しかしながら、従来例の食品包装容器の具材包装容器は、主材包装容器よりは浅いといっても、４方向に側壁があるため、具材包装容器に収容された刺身等の具材をご飯の上に移し替える際に、この側壁が邪魔をし、具材をご飯の上にスムーズかつ綺麗な状態で載せることができないという問題があった。
【０００６】
本発明の解決しようとする課題は、具材包装容器に収容された刺身等の具材をご飯の上に移す際に、型崩れすることなしに、スムーズかつ綺麗な状態で載せることができる具材包装容器、丼物包装容器、包装容器に収容した具材及び丼物を提供することにある。
【課題を解決するための手段】
【０００７】
上記課題を解決するため請求項１記載の具材包装容器は、丼物の具材を収容する略方形で浅皿状であり、その内底面が一方の開口縁部に向けて傾斜した内底面に形成され、
前記傾斜した内底面に超高分子量ポリエチレン樹脂加工が施されたアルミシートを貼付していることを特徴とする。
【０００８】
また、請求項２記載の具材包装容器は、請求項１記載の具材包装容器において、前記傾斜した内底面全体に傾斜方向に向けた多数の突状又は溝が形成されていることを特徴とする。
【０００９】
また、請求項３記載の丼物包装容器は、請求項１又は２に記載の具材包装容器と、具材包装容器に被せる蓋体と、深皿状のご飯包装容器とから成り、
前記具材包装容器の開口縁部がご飯包装容器の開口縁部に着脱可能に係止されていることを特徴とする。
【００１０】
また、請求項４記載の丼物は、丼物の具材を収容する略方形で浅皿状であり、その内底面が一方の開口縁部に向けて傾斜した内底面に形成され、該傾斜した内底面に滑り摩擦抵抗低減加工が施された具材包装容器と、具材包装容器に被せる蓋体と、深皿状のご飯包装容器とから成り、
前記具材包装容器の開口縁部がご飯包装容器の開口縁部に着脱可能に係止された丼物包装容器における前記ご飯包装容器にご飯が収容され、前記具材包装容器に刺身、鰻、天ぷら、牛等の丼物の具材が収容され、前記具材包装容器の傾斜した内底面と収容する具材との間に、しその葉の茎側を傾斜した内底面の傾斜上部側に向けて表向きに敷き詰めてなることを特徴とする包装容器に収容されていることを特徴とする。
【００１１】
また、請求項５記載の丼物は、丼物の具材を収容する略方形で浅皿状であり、その内底面が一方の開口縁部に向けて傾斜した内底面に形成され、該傾斜した内底面に滑り摩擦抵抗低減加工が施された具材包装容器と、具材包装容器に被せる蓋体と、深皿状のご飯包装容器とから成り、
前記具材包装容器の開口縁部がご飯包装容器の開口縁部に着脱可能に係止された丼物包装容器における前記ご飯包装容器にご飯が収容され、前記具材包装容器に刺身、鰻、天ぷら、牛等の丼物の具材が収容され、
前記ご飯の上に、ご飯のタレをゲル化した状態で載せ、その上をシートで覆っていることを特徴とする。
【発明の効果】
【００１２】
請求項１記載の食品包装容器では、上述のように、その内底面が一方の開口縁部に向けて傾斜した内底面に形成されることで、具材包装容器に収容された刺身等の具材をご飯の上に移す際に、型崩れすることなしに、スムーズかつ綺麗な状態で載せることができるようになるという効果が得られる。
【００１３】
また、請求項２記載の具材包装容器では、上述のように、傾斜した内底面全体に傾斜方向に向けた多数の突状又は溝が形成されることで、刺身等の具材をご飯の上に、さらにスムーズかつ綺麗な状態で載せることができるようになる。
【００１４】
また、請求項４記載の包装容器に収容された丼物では、上述のように、前記具材包装容器の傾斜した内底面と収容する具材との間に、しその葉の茎側を傾斜した内底面の傾斜上部側に向けて表向きに敷き詰めることで、しその葉の裏側に茎側から葉先側に向かって無数に存在する産毛状の毛による傾斜した内底面の上部側に向かう送り出し効果で、刺身等の具材をご飯の上に、さらにスムーズかつ綺麗な状態で載せることができるようになる。
【００１５】
また、請求項５記載の包装容器に収容された丼物では、上述のように、前記ご飯の上に、ご飯のタレをゼラチン等でゲル化した状態で載せることで、冷蔵又は冷凍状態の丼物のご飯収容容器を電子レンジ等で温めると、ゲル化したタレが融けてご飯に染み渡らせることができるようになる。また、ゲル化したタレの上をシートで覆うことで、具材収容容器２の底面へのご飯４やタレ７の付着を防止することができるようになる。
【図面の簡単な説明】
【００１６】
【図１】実施例１の包装容器に収容された丼物を示す分解斜視図である。
【図２】ご飯収容容器と具材収容容器の組み合わせ状態を示す縦断面図である。
【発明を実施するための形態】
【００１７】
以下にこの発明の実施例を図面に基づいて説明する。
【実施例１】
【００１８】
まず、この実施例１の包装容器に収容された丼物を図面に基づいて説明する。
なお、この実施例１では、丼物として海鮮丼を例にとって説明する。
【００１９】
この包装容器に収容された海鮮丼は、図１、２に示すように、ご飯収容容器１と、具材収容容器２と、蓋体３と、ご飯４と、刺身（具材）５と、しその葉６と、ご飯のタレ７と、シート８と、を主な構成として備えている。
【００２０】
さらに詳述すると、前記ご飯収容容器１は、ポリエチレンやポリプロピレン等の合成樹脂にて略方形で深皿状に形成され、上端開口縁部には外側に向けた周縁１１が形成されている。
そして、ご飯収容容器１内の下半分位にご飯４が収容され、ご飯４の上には、ご飯のタレ７をゲル化した状態で載せ、その上をシート８で覆っている。
【００２１】
前記具材収容容器２は、図２に示すように、ポリエチレンやポリプロピレン等の合成樹脂にて略方形で浅皿状に形成され、上端開口縁部にはご飯包装容器１の周縁１１上に係止可能な外側に向けた周縁２１が形成されている。
また、図２に示すように、この具材収容容器２の内底面２２が一方の開口縁部２１ａに向けて傾斜した内底面に形成され、この傾斜した内底面２２には、超高分子量ポリエチレン樹脂吹き付け加工や超高分子量ポリエチレン樹脂加工が施されたアルミシート貼付等の滑り摩擦抵抗低減加工２２ａが施されている。
【００２２】
この具材収容容器２内には、図１に示すように、具材として刺身５が収容されるが、先ず傾斜した内底面２２の上に、しその葉６の茎側を傾斜した内底面２２の傾斜上部側に向けて表向きに敷き詰め、その上に刺身５を載せた状態で収容し、具材収容容器２の開口部を封止フィルム等の蓋体３で密閉状態に閉じられている。
【００２３】
そして、ご飯収容容器１の周縁１１上に具材収容容器２の周縁２１を係止した状態で具材収容容器２をご飯収容容器１内上部に収容一体化し、必要であれば透明な包装フィルムによって全体をシュリンク包装する。
【００２４】
次に、この実施例１の作用を説明する。
この実施例１の海鮮丼では、上述のように構成されるため、ご飯収容容器１から具材収容容器２を取り外した状態で、ご飯４が収容されたご飯収容容器１をレンジ等で暖めた後、具材包装容器２の蓋体３を開けて中に収容された刺身５を温めたご飯４の上に移し、刺身５の上に醤油やわさび等の調味料を加えて食するものである。
【００２５】
次に、この実施例１の効果を説明する。
この実施例１の食品包装容器では、上述のように、その内底面２２が一方の開口縁部に向けて傾斜した内底面に形成されることで、具材包装容器２に収容された刺身５等の具材をご飯４の上に移す際に、型崩れすることなしに、スムーズかつ綺麗な状態で載せることができるようになるという効果が得られる。
【００２６】
また、前記傾斜した内底面２２に超高分子量ポリエチレン樹脂吹き付け加工や超高分子量ポリエチレン樹脂加工が施されたアルミシート貼付等の滑り摩擦抵抗低減加工２２ａが施されることで、刺身５等の具材をご飯４の上に、さらにスムーズかつ綺麗な状態で載せることができるようになる。
【００２７】
また、前記具材包装容器２の傾斜した内底面２２と収容する刺身５との間に、しその葉６の茎側を傾斜した内底面２２の傾斜上部側に向けて表向きに敷き詰めることで、しその葉６の裏側に茎側から葉先側に向かって無数に存在する産毛状の毛による傾斜した内底面２２の傾斜上部側に向かう送り出し効果で、刺身５等の具材をご飯４の上に、さらにスムーズかつ綺麗な状態で載せることができるようになる。
【００２８】
また、前記ご飯４の上に、ご飯のタレ７をゼラチン等でゲル化した状態で載せることで、冷蔵又は冷凍状態の海鮮丼のご飯収容容器１を電子レンジ等で温めると、ゲル化したご飯のタレ７が融けてご飯４に染み渡らせることができるようになる。また、ゲル化したご飯のタレの上をシート８で覆うことで、具材収容容器２の底面へのご飯４やタレ７の付着を防止することができる。
【００２９】
以上本実施例を説明してきたが、本発明は上述の実施例に限られるものではなく、本発明の要旨を逸脱しない範囲の設計変更等があっても、本発明に含まれる。
【００３０】
例えば、実施例では、丼物として刺身５を具材とする海鮮丼を例にとって説明したが、鰻、天ぷら、牛等、任意の具材を用いることができる。
【００３１】
また、実施例では、滑り摩擦抵抗低減加工の素材として、超高分子量ポリエチレン樹脂を例にとって説明したが、その他にシリコン樹脂、フッ素樹脂等、摩擦抵抗の少ない樹脂素材を用いることができる。
【００３２】
また、実施例では、滑り摩擦抵抗低減加工として、傾斜した内底面２２に超高分子量ポリエチレン樹脂吹き付け加工や、超高分子量ポリエチレン樹脂加工が施されたアルミシート貼付加工を例にとって説明したが、傾斜した内底面全体に傾斜方向に向けて多数の突状又は溝を形成することで、滑り摩擦抵抗を低減させるようにしてもよい。
また、超高分子量ポリエチレン樹脂フィルムを傾斜した内底面２２に直接貼付するようにしてもよい。
【００３３】
また具材包装容器２の傾斜した内底面２２と収容する刺身５等の具材との間に、滑り摩擦抵抗の少ない錦糸卵を敷き詰めることで、刺身５等の具材をご飯４の上に、さらにスムーズかつ綺麗な状態で載せることができるようになる。
【符号の説明】
【００３４】
１  ご飯収容容器
１１  周縁
２  具材収容容器
２１  周縁
２１ａ  一方の開口縁部
２２  傾斜した内底面
２２ａ  滑り摩擦抵抗低減加工
３  蓋体
４  ご飯
５  刺身（具材）
６  しその葉
７  ご飯のタレ
８  シート
【図１】
0006393917.tif 000002
【図２】
0006393917.tif 000003